(57)【要約】  【課題】  シャワーヘッド及び蛇口取付用シャワー装置において、装置を大型化することなく磁気活性水の生成能力を向上させる。  【解決手段】  流水路１３を挟んで対向する位置に１対の磁石１４ａ，１４ｂを取り付け、この１対の磁石１４ａ，１４ｂの対向する面を同極とする。ここで、磁気活性水の生成を一層効率的に行うには、複数対の磁石を流水路の軸中心を中心として周方向に等角度に取り付けるのが好ましい。【選択図】      図３
0003106062.tif 000002
【実用新案登録請求の範囲】
【請求項１】
流水路を挟んで対向する位置に少なくとも１対の磁石が取り付けられシャワーヘッドであって、前記１対の磁石の対向する面が同極であることを特徴とするシャワーヘッド。
【請求項２】
複数対の磁石が流水路の軸中心を中心として周方向に等角度に取り付けられている請求項１記載のシャワーヘッド。
【請求項３】
シャワーホースと、このシャワーホースの一方端に取り付けられたシャワーヘッドと、シャワーホースのもう一方端に取り付けられた第１接続部材と、蛇口に取り付けられ、第１接続部材と着脱可能に接続する第２接続部材とを備えた蛇口取付用シャワー装置において、
前記シャワーヘッドとして請求項１又は２記載のものを使用することを特徴とする蛇口取付用シャワー装置。
【請求項４】
第２接続部材が磁石を有し、第１接続部材が磁石又は強磁性体を有し、第１接続部材と第２接続部材とが磁力によって着脱可能に接続する請求項３記載の蛇口取付用シャワー装置。
【請求項５】
第１接続部材と第２接続部材に取り付ける磁石がリング状であって、一方面にＮ極、もう一方面にＳ極が着磁されたものである請求項４記載の蛇口取付用シャワー装置。
【考案の詳細な説明】
【技術分野】
【０００１】
本考案はシャワーヘッドに関し、より詳細には磁力によって活性化させた水を噴射するシャワーヘッドに関するものである。
【背景技術】
【０００２】
磁界中を通過させて磁化処理した水（以下、「磁気活性水」と記すことがある）は、水分子の集団（クラスター）が細分化し、人体の細胞を活性化させて新陳代謝を促すと共に、洗浄力の向上や植物の成長促進、滅菌作用などの効能があると言われている。そこで、この磁気活性水を生成すべく種々の技術がこれまでから提案され、またその一部は製品化されている。
【０００３】
例えば特許文献１では、シャワーヘッドのグリップに取り付けた磁石片により磁界を発生させ、この磁界中に湯水を通過させることによって湯水を磁気活性水とすると共に、グリップを持つ手の血行を促進させる技術が提案されている。また特許文献２では、シャワーヘッドに着脱可能に装着されたろ過カートリッジの内側壁に一対の磁石片を対峙させるように設けて、磁気活性水を生成する技術が提案されている。
【特許文献１】特開平１１−９０２７６号公報（特許請求の範囲、図１、図４）
【特許文献２】実用新案登録第３０１９１２６号（実用新案登録請求の範囲、（００１１）〜（００１２）段、図１、図４）
【考案の開示】
【考案が解決しようとする課題】
【０００４】
従来の提案技術によっても磁気活性水を生成することはできるものの、その生成能力を高めるには磁石の磁力を高める以外に手段がなく、装置の大型化を招いていた。
【０００５】
本考案はこのような従来の問題に鑑みてなされたものであり、その目的とするところは、装置を大型化することなく磁気活性水の生成能力を向上させたシャワーヘッド及び蛇口取付用シャワー装置を提供することにある。
【課題を解決するための手段】
【０００６】
前記目的を達成するため本考案のシャワーヘッドでは、流水路を挟んで対向する位置に少なくとも１対の磁石を取り付け、この１対の磁石の対向する面を同極とする構成とした。
【０００７】
ここで、磁気活性水の生成を一層効率的に行うには、複数対の磁石を流水路の軸中心を中心として周方向に等角度に取り付けるのが好ましい。
【０００８】
また本考案の蛇口取付用シャワー装置では、シャワーホースと、このシャワーホースの一方端に取り付けられたシャワーヘッドと、シャワーホースのもう一方端に取り付けられた第１接続部材と、蛇口に取り付けられ、第１接続部材と着脱可能に接続する第２接続部材とを備え、シャワーヘッドとして前記記載のものを使用する構成とした。
【０００９】
ここで第１接続部材と第２接続部材との接続を簡便に行う観点から、第２接続部材に磁石を設け、第１接続部材に磁石又は強磁性体を設け、第１接続部材と第２接続部材とが磁力によって着脱可能に接続するようにするのが好ましい。このとき第１接続部材と第２接続部材との接続と同時に磁気活性水の生成をも行わせるには、リング状であって、一方面にＮ極、もう一方面にＳ極が着磁された磁石を第１接続部材と第２接続部材に取り付けるのが好ましい。
【考案の効果】
【００１０】
本考案のシャワーヘッド及び蛇口取付用シャワー装置では、流水路を挟んで対向する位置に少なくとも１対の磁石を取り付け、この１対の磁石の対向する面を同極とする構成としたので、装置を大型化することなく磁気活性水の生成能力を向上させることができる。
【００１１】
複数対の磁石を流水路の軸中心を中心として周方向に等角度に取り付けると、磁気活性水の生成を一層効率的に行うことができる。
【００１２】
また第２接続部材に磁石を設け、第１接続部材に磁石又は強磁性体を設け、第１接続部材と第２接続部材とが磁力によって着脱可能に接続するようにすると、第１接続部材と第２接続部材との接続を簡便に行え、またこの接続用の磁石によって磁気活性水の生成をも行うことができるようになる。このとき第１接続部材と第２接続部材に取り付ける磁石を、リング状であって、一方面にＮ極、もう一方面にＳ極が着磁されたものにすると、磁気活性水の生成を一層効果的に行うことができる。
【考案を実施するための最良の形態】
【００１３】
前記特許文献を含めこれまでは、磁気活性水を効率的に作製するには、Ｎ極とＳ極とが対向するように磁石を配置し、その磁石間に水を流す、すなわち磁力線に直交するように水を流すのがよいとされていた。このことは、磁力線に垂直に導線を動かすと導線の所定方向に誘導電流が流れるという、いわゆるフレミングの右手の法則で一般に説明されている。磁力線に垂直に水を通過させることによって水に微弱な電流が流れ、この結果水分子のクラスターが電気的に細分化されるというのである。
【００１４】
ところが、本考案者が、磁気活性水を効率的に生成すべく鋭意検討を重ねたところ、Ｎ極とＳ極とを対向配置するよりも同極同士を対向配置する方が磁気活性水を効率的に生成できるとの知見を得た。この現象は前記フレミングの右手の法則では説明がつかない。この場合の磁気活性水の生成機構については未だ十分には解明できていないが、本考案者は次のような生成機構ではないかと推測している。
【００１５】
水は、外部の磁界と反対向きに磁化が起こる反磁性の特性を微小ながら有している。このため、Ｎ極とＳ極とが対向するように磁石を配置しその磁石間に水を流す従来の方法では、図１（ａ）に示すように、水分子の左側がＮ極、右側がＳ極に磁化する。これにより、磁力線に対して垂直方向に並んだ水分子は反発する一方、磁力線に対して平行に並んだ水分子は結合することになる。このため、クラスターの一部は細分化されるものの、他の一部は細分化されず残存する、あるいは逆に巨大化することも起こり得る。これに対し、Ｎ極とＮ極とが対向するように配設された磁石の間に水を通すと、同図（ｂ）に示すように、水分子の反磁性の特性からその表面がＮ極に磁化する。これにより、水分子同士が同極となって反発し、水分子のクラスターは従来に比べより細かく分かれるのである。
【００１６】
以下、本考案に係るシャワーヘッド及び蛇口取付用シャワー装置について図に基づいて説明する。図２は、本考案に係るシャワーヘッド及び蛇口取付用シャワー装置の一実施形態を示す斜視図、図３はシャワーヘッドの組立断面図である。まずシャワーヘッドについて説明する。図３に示すように、このシャワーヘッド１は、下方に向かって徐々に拡径した円筒状の本体１１と、本体１１の下部開口部１１１を封止するキャップ１２とを備える。本体１１の中心部には軸方向に流水路１３が形成され、本体上部にはホース４を接続するための、ホース４の断面形状の合致した周状の係合溝１１２が形成されている。キャップ１２は円形皿状をしてなり、上面外周には同心円状に２つの周壁１２２，１２３が形成され、中心部には複数の噴出口１２１が形成されている。
【００１７】
図４にキャップ１２の上面図を示す。この図から理解されるように、キャップ上面の２つの周壁１２２，１２３によって形成された周溝を仕切り壁１２５によって区分し、複数の取付け穴１２６としている。そしてこの取付け穴１２６は磁石１４ａ，１４ｂの形状に対応しており、磁石１４ａ，１４ｂはこれらの取付け穴１２６に着脱可能に取り付けられる。
【００１８】
図４に示すように、両面着磁された一対の磁石１４ａ，１４ｂと磁石１５ａ，１５ｂとは、対向する面が同極（ここではいずれもＳ極）となるように取付け穴１２６にそれぞれ取り付けられている。もちろん、取り付ける磁石の個数に限定はなく、取付け穴１２６のすべてに磁石を取り付けても構わない。ただ、複数対の磁石を取り付ける場合、磁気活性水を効率的に生成する観点から、周方向に等角度に取り付けるのが好ましい。また同様に、磁気活性水を効率的に生成する観点からは、磁石の半径方向内方面側の磁極を同一するのが好ましい。
【００１９】
磁石の取付位置は、流水路１３（図３に図示）を挟んで対向する位置であれば特に限定はないが、本実施形態のように噴出口１２１の直前に磁石１４ａ，１４ｂを取り付けるのが好ましい。噴出口１２１から噴出されようとするところで水が磁界を通過し磁気活性水となるので、細分化された水のクラスターが再結集することなく、磁気活性度の高い水が噴射口１２１から噴出するからである。
【００２０】
本考案のシャワーヘッドで使用する磁石としては両面着磁されたものが好ましく、その形状は直方体や円板などシャワーヘッドにおける取り付け部分の形状を考慮して適宜決定すればよい。磁界の強さとしては１，０００〜５，０００Ｇの範囲が好ましい。磁性材料としては、ネオジウムやサマリウム、コバルトなどの希土類系；アルミニウム・ニッケル・コバルトを主成分としたアルニコ系；バリウム・フェライトやストロンチウム・フェライトを主成分としたフェライト系などが挙げられる。この中でも磁力の強いネオジウム系の磁石が好ましい。
【００２１】
図５に、本考案に係るシャワーヘッドの他の実施形態を示す垂直断面図を示す。この図のシャワーヘッド１’は、前記実施形態のシャワーヘッド１と異なって、シャワーヘッド１’から側方へ水が噴射されるものであって、浴室に一般に取り付けられているシャワー装置のシャワーヘッドなどに利用できる。このシャワーヘッド１’も、内部に流水路１３を備えた本体１５と、この本体１５の開口部１５１を封止するキャップ１６とを備える。本体１５の下端部には、ホース４を接続するための係合溝１５２が形成されている。また前記と同様に、キャップ１６には噴出口１６１と取付け穴１６６が形成されている。この取付け穴１６６に、対向する面が同極となるように磁石１４ａ，１４ｂが取り付けられる。
【００２２】
次に、図２の蛇口取付用シャワー装置の第１接続部材と第２接続部材について説明する。図６に垂直断面図を示す。第１接続部材２は碗形状をなし、内部中心部軸方向に流水路２４が形成され、下部開口の外周部にはホース４を接続するための周状の係合溝２１が形成されている。また、上面には第２接続部材３と接合するための、円形状の凹部２２が形成されている。この凹部２２の底面にはリング状の磁石２３が流通路２４と同心円状に取り付けられている。
【００２３】
一方、水道管等の蛇口５に取り付ける第２接続部材３は、太鼓形状の本体３１と、本体３１の上面凹部外周に填め込まれた弾性部材３２と、この弾性部材３２を外周と上部から押圧して固定する押さえ部材３３とを備え、全体外観として釣り鐘形状をしている。そして、本体３１の下面にはリング状の磁石３４が流通路３５と同心円状に取り付けられている。弾性部材３２は、円柱の上端部が中心軸方向に延出して、その先端が若干内方へ垂れ下がった形状をしてなり、その先端が形成する開口径は、蛇口５の先端に形成された拡径部５１の外径よりも小さくなっている。この第２接続部材３の蛇口５への取付けは、蛇口５の先端に弾性部材３２の開口部を押し入れることによって行う。すなわち、蛇口５の先端が弾性部材３２の開口部へ入るときは、蛇口５の先端に形成された拡径部５１によって弾性部材３２の先端部が内方へ引き込まれ、拡径部５１が弾性部材３２の先端部を通過したところで、弾性部材３２は元の状態に戻る。反対に、第２接続部材３に対して蛇口５から外れる方向に力が加わると、蛇口５の拡径部５１が弾性部材３２の先端部を外方へ押圧するが、弾性部材３２の先端部は内方へ垂れ下がった形状をしているので、外方へ変形しにくく第２接続部材３は蛇口５から容易には外れない。なお、第２接続部材３の蛇口５への取付けはこのような取付けに限定されるものではなく、ネジ留めやバンド留めなど従来公知の取付方法を用いることができる。
【００２４】
第１接続部材と第２接続部材とは磁力によって着脱可能に接続する。蛇口５に取り付けられた第２接続部材３の開口部に第１接続部材２を接近させると、第１接続部材２及び第２接続部材３に取り付けられた磁石２３と磁石３４によって第１接続部材２は第２接続部材３に引き寄せられ両者は接続する。ここで使用する磁石としては、前述の磁性材料のものがここでも好適に使用できる。また第１接続部材と第２接続部材との接続をしっかりしたものとする観点から、磁界の強さとしては２，０００〜６，０００Ｇの範囲が好ましい。このような強い磁界を形成することによって、前述のシャワーヘッドのみならずこの接続部分においても磁気活性水の生成がなされるようになる。磁石の形状に限定はないが、接続部材の着脱や組立のし易さなどからリング状が好ましい。また磁石の着磁形態は、第１接続部材と第２接続部材とが接続する形態であれば特に限定はないが、この接続用の磁石によっても磁気活性水を生成させる場合には、図７に示すような両面着磁したものが好ましい。当然ながら、このような磁石を第１接続部材と第２接続部材とに取り付ける場合には、対峙する面が異なる磁極となるように取り付ける。
【００２５】
前記実施形態では、第１接続部材２と第２接続部材３とに磁石２３と磁石３４を取り付けているが、一方に磁石を取付け、もう一方に鉄やニッケル、コバルト、これらの合金などの強磁性体を取付けて両者を接続しても構わない。この場合、蛇口に取り付けられる第２接続部材に磁石を設けておくのが、シャワー装置が取り外されているときでも、蛇口に第２接続部材が取り付けられている限り、第２接続部材の内蔵する磁石によって磁気活性水が生成されるので好ましい。もちろん磁気活性水を効率的に生成するには、第１接続部材と第２接続部材の両方に磁石を設けるのがよい。
【図面の簡単な説明】
【００２６】
【図１】磁界によるクラスターの細分化を説明する図である。
【図２】本考案に係るシャワーヘッド及び蛇口取付用シャワー装置の一例を示す斜視図である。
【図３】図２のシャワーヘッドの組立断面図である。
【図４】図２のシャワーヘッドの磁石の取付位置を示す正面図である。
【図５】シャワーヘッドの他の例を示す垂直断面図である。
【図６】図２の第１接続部材と第２接続部材の垂直断面図である。
【図７】第１接続部材と第２接続部材に取り付ける磁石の一例をしめす斜視図である。
【符号の説明】
【００２７】
１，１’    シャワーヘッド
２    第１接続部材
３    第２接続部材
４    ホース（シャワーホース）
５    蛇口
１３    流水路
１４ａ，１４ｂ    磁石
１５ａ，１５ｂ    磁石
２１，３５    流水路
２３，３４    磁石
【図１】
0003106062.tif 000003
【図２】
0003106062.tif 000004
【図３】
0003106062.tif 000005
【図４】
0003106062.tif 000006
【図５】
0003106062.tif 000007
【図６】
0003106062.tif 000008
【図７】
0003106062.tif 000009